(57)【要約】      （修正有）【課題】メダル受皿部に貯留されているメダルを手に触れることなくメダル貯留箱に移し替えることが可能な遊技機を提供する。【解決手段】遊技対価としてのメダルの投入を受けて所定の遊技処理を実行する遊技処理手段と、遊技処理の結果に応じたメダルを払い出すメダル払出装置とを有する回胴式遊技機において、メダル払出装置から払い出されたメダルを貯留するメダル受皿部と、遊技者の操作に基づいて、メダル受皿部のメダルをメダル受皿部の下方に配置したメダル貯留箱などのメダル回収手段に落下させるメダル抜き機構とを設ける。【選択図】図５
2009261653.tif 000002
【特許請求の範囲】
【請求項１】
遊技対価としてのメダルの投入を受けて所定の遊技処理を実行する遊技処理手段と、
前記遊技処理の結果に応じたメダルを払い出すメダル払出装置とを有する回胴式遊技機であって、
前記メダル払出装置から払い出されたメダルを貯留するメダル受皿部と、
遊技者の操作に基づいて、前記メダル受皿部のメダルを前記メダル受皿部の下方に落下させるメダル抜き機構とを更に備えることを特徴とする回胴式遊技機。
【請求項２】
前記メダル抜き機構は、
前記メダル受皿部に形成された開口を閉鎖する閉状態と、前記開口を開放する開状態との間で移行が可能な開閉部材と、
遊技者が操作する操作部材と、
前記操作部材への開閉操作に従って前記開閉部材を前記閉状態と前記開状態の間で移行させる駆動機構とを有する請求項１に記載の回胴式遊技機。
【請求項３】
前記開閉部材は、前記開口よりも前方に位置する回転軸を有し、前記回転軸を中心として扉開きすることで前記開状態に移行することを特徴とする請求項２に記載の回動式遊技機。
【請求項４】
前記開閉部材は、前記開状態において前記開口の前方、後方、左方及び／又は右方において垂下する案内板を有することを特徴とする請求項２又は３に記載の回胴式遊技機。
【請求項５】
前記メダル払出装置から払い出されたメダルを受けて所定量のメダルを貯留できる第１メダル受皿部と、
前記第１メダル受皿部の貯留許容量を越えるメダルを前記メダル受皿部に案内する案内通路を更に備えることを特徴とする請求項１〜４のいずれか一項に記載の回胴式遊技機。
【発明の詳細な説明】
【技術分野】
【０００１】
本発明は、パチンコ店、パチスロ店、或いは、ゲームセンターなどの遊技場に設置され、メダルの投入を受けて所定の遊技処理を実行し、遊技処理の結果に応じたメダルの払い出しを行う回胴式遊技機（パチスロ機）に関する。
【背景技術】
【０００２】
従来、１又は複数のリール装置を備え、遊技対価としてのメダルの投入を条件として、リール装置を回転させた後に停止させ、リールの停止位置に応じてメダルの払出を行うことを内容とする遊技処理を実行する回胴式遊技機（例えば、特許文献１参照）が知られている。
【０００３】
この回胴式遊技機では、メダル貸出処理機によって貸し出されたメダルや、遊技処理の結果に応じて払い出されるメダルを貯留するメダル受皿を有しており、遊技者は、このメダル受皿からメダルを取り出して所定の投入口から投入することで遊技を行い、遊技を終了させる場合には、メダル受皿のメダルを遊技場に備え付けられたメダル貯留箱などに移し替えてメダルの精算等を行うようになっている。
【０００４】
しかし、メダル受皿のメダルをメダル貯留部に移し替える作業は面倒であり、また、メダル貯留箱を片手で掴んだ状態でメダル受皿のメダルを掻き出さなければならないため、メダル貯留箱を持つ手が滑った場合などにはメダル貯留箱を落下させて、メダルを周囲に撒き散らすなどのトラブルを生じる場合もある。
【特許文献１】特開２００７−１３６０６３号公報
【発明の開示】
【発明が解決しようとする課題】
【０００５】
本発明は、上述の状況に鑑みてなされたものであり、下記のいずれか一以上の目的を達成するものである。
【０００６】
即ち本発明の目的は、メダルの投入を受けて所定の遊技処理を実行し、その結果に応じたメダルを所定のメダル受皿に払い出す回胴式遊技機であって、メダル受皿のメダルを容易に、及び／又は、確実にメダル貯留箱などのメダル回収手段に回収することが可能な回胴式遊技機を提供することにある。
【０００７】
本発明の他の目的は、メダル受皿のメダルをメダル貯留箱などのメダル回収手段に回収する際に、メダルが飛び跳ねて回胴式遊技機の周囲に散らばってしまうことを防止することが可能な回胴式遊技機を提供することにある。
【課題を解決するための手段】
【０００８】
本発明は、上記課題を解決したものであり、
遊技対価としてのメダルの投入を受けて所定の遊技処理を実行する遊技処理手段と、
前記遊技処理の結果に応じたメダルを払い出すメダル払出装置とを有する回胴式遊技機であって、
前記メダル払出装置から払い出されたメダルを貯留するメダル受皿部と、
遊技者の操作に基づいて、前記メダル受皿部のメダルを前記メダル受皿部の下方に落下させるメダル抜き機構とを更に備えることを特徴とする回胴式遊技機（請求項１）である。
【０００９】
本発明では、メダル抜き機構を操作することで、メダル受皿部のメダルを下方に落下させ、メダル受皿の下方に配置したメダル貯留箱などのメダル回収手段に回収することが可能である。従って、メダルを掻き出して回収しなければならない従来の回胴式遊技機と比較してより容易にメダル回収手段へのメダル回収を行うことが可能であり、メダル回収手段をメダル受皿の下方に配置したままメダル回収を行うことができるため、持ち手が滑ってメダルを周囲に撒き散らすなどのトラブルを生じ難くすることが可能である。
【００１０】
本発明では、前記メダル抜き機構が前記メダル受皿部に形成された開口を閉鎖する閉状態と、前記開口を開放する開状態との間で移行が可能な開閉部材と、遊技者が操作する操作部材と、前記操作部材への開閉操作に従って前記開閉部材を前記閉状態と前記開状態の間で移行させる駆動機構とを有すること（請求項２）が好ましい。
【００１１】
本発明では、前記開閉部材は、前記開口よりも前方に位置する回転軸を有し、前記回転軸を中心として扉開きすることで前記開状態に移行すること（請求項３）が好ましい。
【００１２】
かかる発明では、開口の前方側で扉開きした開閉部材が障壁となるために、メダル受皿部からメダル回収手段への落下の衝撃で飛び跳ねたメダルが回胴式遊技機の前方側に飛散することを防止することが可能となる。
【００１３】
本発明では、前記開閉部材は、前記開状態において前記開口の前方、後方、左方及び／又は右方において垂下する案内板を有すること（請求項４）が好ましい。
【００１４】
かかる発明では、請求項３の発明と同様に、開口の前方、後方、左方及び／又は右方において垂下する案内板が障壁となるために、メダル受皿部からメダル回収手段への落下の衝撃で飛び跳ねたメダルが回胴式遊技機の前方、後方、左方及び／又は右方に飛散することを防止することが可能となる。
【００１５】
本発明では、前記メダル払出装置から払い出されたメダルを受けて所定量のメダルを貯留できる第１メダル受皿部と、前記第１メダル受皿部の貯留許容量を越えるメダルを前記メダル受皿部に案内する案内通路を更に備えること（請求項５）が好ましい。
【００１６】
かかる発明では、メダル払出装置からのメダルをメダル受皿部だけでなく、第１メダル受皿部においても貯留することが可能となるために、メダルの貯留量を大きくすることが可能である。また、第１メダル受皿部の貯留許容量を越えるメダルをメダル受皿部に案内する案内通路を備える故に、多量のメダルが払い出されたときに、第１メダル受皿部から溢れたメダルが周囲に散らばってしまうなどの不都合を回避することが可能である。
【発明を実施するための最良の形態】
【００１７】
以下、本発明の実施形態について添付図面を参照して詳細に説明する。
【００１８】
図１は、本発明の実施形態に係る回胴式遊技機１の外観構成を示す斜視図であり、図２は、回胴式遊技機１の内部構成を示す斜視図である。
【００１９】
図示されるように、この回胴式遊技機１は、筐体の正面の中央部に透視窓２が設けられ、筐体の内部に設置される３台のリール装置３Ｌ、３Ｃ及び３Ｒの各リール上に配列された図柄を透視できるようになっている。
【００２０】
透視窓２の下方には、リール装置３Ｌ、３Ｃ及び３Ｒの回転開始を指示するスタートレバー４と、回転中の各リール装置３Ｌ、３Ｃ及び３Ｒを個別に停止させる３つのストップボタン５Ｌ、５Ｃ及び５Ｒと、後述の第１メダル受皿部（上皿）２０に貯留されているメダルＭを投入するためのベットボタン６と、クレジットのメダルを精算するとともに、第１メダル受皿部２０に貯留されているメダルＭを後述の第２メダル受皿部５０に回収させるための精算ボタン７とが設けられており、透視窓２の右方には、クレジットのメダル枚数値を所定の最大値（例えば５０枚）の範囲で表示するクレジット表示部８が設けられている。
【００２１】
また、透視窓２の上方、即ち、筐体正面の上方部には、特定のキャラクタ画像や背景画像などの演出用の画像を表示する液晶ディスプレイ（ＬＣＤ）などで実現される画像表示装置９と、各種演出用の点灯や点滅などの発光を行う照明装置であるＬＥＤ１０ａ、１０ｂが設けられている。
【００２２】
また、本実施形態の回胴式遊技機１では、上記各操作部材（スタートレバー４、ストップボタン５Ｌ、５Ｃ及び５Ｒ、ベットボタン６、精算ボタン７）の下方に、後述のメダル払出装置１１からメダル払出口１１ａを介して払い出されるメダルＭや、この回胴式遊技機１に対応付けて隣接設置されるメダル貸出処理機（不図示）から払い出されるメダルＭを受けて貯留するとともに、所定条件の成立を契機として貯留されたメダルＭを送出して回胴式遊技機１の筐体内に設置されたメダル受付装置（本実施形態ではメダルセレクタＭＳ）に自動投入させるメダル投入機構１２を備えている。
【００２３】
本実施形態のメダル投入機構１２は、大きく分けて、第１メダル受皿部２０とメダル投入装置３０とを主体に構成される。
【００２４】
図３（ａ）、（ｂ）は、本実施形態の第１メダル受皿部２０の例示的な構成を斜視及び俯瞰視で示す説明図である。
【００２５】
図示されるように、第１メダル受皿部２０は、上記メダル貸出処理機などの遊技機外部からメダルＭを受けることができ、また、外部からメダルＭの貯留状態を視認できるように上方が開放された皿状容器である。
【００２６】
そして、本実施形態の第１メダル受皿部２０は、メダル払出装置１１から排出されたメダルＭを滑動或いは転動させる底面２１と、その底面２１の一端（図の右側）に連設されて、メダルＭをバラ積み状態で貯留できる下面開放のホッパー状の形状を有するメダル貯留部２２と、底面２１の他端（図の左側）に連設されて第１メダル受皿部２０の貯留許容量を越えるメダルＭを落下させる落下口２３と、底面２１、メダル貯留部２２及び落下口２３を囲繞するように概略垂設された平板状の４つの側壁２４〜２７などから構成される。
【００２７】
上記底面２１及び側壁２４〜２７により囲われた領域、及び、メダル貯留部２２の内部領域は、ある程度の量のメダルＭを貯留するための貯留空間Ｓ１として機能する。貯留空間Ｓ１の容量は任意に設計することが可能であるが、例えば、ＢＩＧゲームなどと称される特別ゲームを１回実行した場合に払い出される枚数（例えば、３５０枚）のメダルＭを貯留できる程度の容量とすることが考えられる。
【００２８】
底面２１は、メダル払出口１１ａが連設される側からメダル貯留部２２が連設される側に向ってメダルＭが自重により滑動或いは転動できる程度の平滑性及び傾斜（例えば４５度程度の傾斜）が与えられている。底面２１でのメダルＭの滑動を円滑にするために、底面２１は、硬質プラスチックなどの摩擦係数の小さい材料で形成することが好ましい。
【００２９】
図４（ａ）は、メダル投入装置３０の構造の外観構成を、図４（ｂ）は、当該メダル投入装置３０の分解構造を、図４（ｃ）は、メダル投入装置３０が備える回転盤３１の裏面をそれぞれ示す斜視説明図である。
【００３０】
図示されるように、本実施形態のメダル投入装置３０は、回転盤３１と、その回転盤３１を収容する案内板３２と、その案内板３２に収容された回転盤３１を駆動する駆動機構３３とを備え、それら各構成要素３１〜３３が筐体Ｃ１に取り付けられている。そして、回転盤３１及び案内板３２には、所定角度で下降する傾斜が与えられている。
【００３１】
回転盤３１は、金属やプラスチックなどの硬質材料で形成された円盤状の部材であり、メダルＭが通過可能なサイズの複数（図示の例では３個）のメダル孔３１ａが円周方向に等角度間隔で貫穿されるとともに、その裏面には、各メダル孔３１ａを通過したメダルＭを一枚ずつ隔離した状態で外方に向けて駆動するための複数の駆動突起３１ｂを有している。なお、本実施形態の回転盤３１では、メダル孔３１ａが３個形成された形態を示しているが、３個以外の個数のメダル孔３１ａが形成された形態としても良い。
【００３２】
この駆動突起３１ｂは、回転盤３１の裏面から下方に向けて突出して形成されており、各メダル孔３１ａの回転方向下流側においてメダル孔３１ａを囲繞するように延びる規制面３１ｃと、各メダル孔３１ａの回転方向上流側において、回転盤３１の半径方向外方に向うにつれて回転盤３１の回転方向上流側に湾曲する駆動面３１ｄを有している。
【００３３】
案内板３２は、外周部分３２ａと、外周部分３２ａからメダル１枚分程度の厚みだけ凹陥し、メダルＭが滑動できる程度の平滑性を有する円形の領域である滑動面３２ｂを有する金属などよりなる平板状の部材であり、滑動面３２ｂと外周部分３２ａの境界には、滑動面３２ｂを囲繞し、滑動面３２ｂに対して垂直に起立する円筒状の案内壁３２ｃが形成されており、上記回転盤３１は、この案内壁３２ｃに収容された状態で回転する。
【００３４】
案内壁３２ｃは、滑動面３２ｂの側方位置に間隙３２ｄを有しており、当該間隙３２ｄから案内板３２の１側辺に至る領域は、メダルＭの直径よりわずかに大きい幅寸法を有する滑動面３２ｂと面一のメダル送出路３２ｅとなっており、間隙３２ｄの両端には、固定子Ｆ及び可動子Ｍがそれぞれ滑動面３２ｂから垂直方向に突設されている。
【００３５】
ここで、固定子Ｆは、回転盤３１の回転方向から見て間隙３２ｄの上流側において、その外周が案内壁３２ｃに外接する程度の位置に配置されており、可動子Ｍは、回転盤３１の回転方向から見て間隙３２ｄの下流側端部付近における案内壁３２ｃよりも内周側の位置から案内壁３２ｃの円周方向に概略沿う方向に延在する長孔ＬＨに、バネなどの適宜の付勢手段により固定子Ｆ側への付勢力を受けた状態で移動可能に挿通されている。なお、図中のＰ１、Ｐ２は、回転盤３１の回転に伴って周回するメダルＭを間隙３２ｄに向けて反射することでメダルＭの繰出を確実にするために滑動面３２ｂに突設されたピン部材である。
【００３６】
本実施形態では、図４（ａ）の矢印Ａ１に示す方向に回転盤３１を回転させることにより、メダル貯留部２２に貯留されたメダルＭが、その下面開口からメダル孔３１ａを介して順次滑動面３２ｂに落下し、滑動面３２ｂに落下したメダルＭは、回転盤３１の回転によって滑動面３２ｂ上を周回しつつ、上記駆動突起３１ｂの駆動面３１ｄによって案内壁３２ｃに向けて駆動され、案内壁３２ｃに到達したメダルＭは、間隙３２ｄを通過する際に可動子Ｍに衝突し、付勢手段の付勢力によって固定子Ｆの方にはね戻されて、メダル送出路３２ｅから矢印Ａ２に示す方向に送り出されていく。
【００３７】
駆動機構３３は、案内板３２の軸孔３２ｆに回転自在に軸支され、回転盤３１の中央ボス部３１ｅに一端が取り付けられた回転軸３３ａと、その回転軸３３ａの他端を軸支して当該回転軸３３ａを介して回転盤３１を回転させる回転モータ３３ｂとから構成される。
【００３８】
即ち、本実施形態のメダル投入機構１２によれば、第１メダル受皿部２０に所定量のメダルを貯留できるとともに、所定条件の成立を契機として、メダル投入制御部ＳＢ４の制御に基づき回転盤３１が回転し、案内壁３２ｃの間隙３２ｄから回転盤３１の回転量に応じた枚数のメダルＭが送出され、間隙３２ｄから送出されたメダルＭが回胴式遊技機１の内部に設置されたメダル受付装置（本実施形態ではメダルセレクタＭＳ）に自動投入されるため、遊技者はメダルＭに触れることなく回胴式遊技機１へのメダル投入を行うことが可能である。
【００３９】
また、本実施形態の回胴式遊技機１では、貯留空間Ｓ１の許容貯留量を超えるメダルＭがメダル投入機構１２から溢れ出てしまうのを防ぐための溢れ防止機構１３を備えている。
【００４０】
本実施形態の溢れ防止機構１３は、上述のメダル投入機構１２に形成された落下口２３に一端が連設されるとともに、他端が所定のメダル送出口４０ａに連設される案内通路４０と、その案内通路４０で案内されてメダル送出口４０ａから送出されたメダルＭを受けて貯留することができる第２メダル貯留部（下皿）５０とを主体に構成される。なお、上記案内通路４０は、落下口２３に落下したメダルＭをメダル送出口４０ａまで案内する樋状の通路であり、本実施形態では筐体内部に案内通路４０が配置されている形態（図２参照）を示しているが、これ以外にも、例えば、筐体外部に配置され、案内通路内を落下しているメダルＭを遊技機外部より遊技者が視認できるような形態（例えば、透明部材で出来た案内通路など）としても良い。
【００４１】
図５（ａ）は、第２メダル受皿部５０の構造の一態様を示す斜視説明図であり、図５（ｂ）は、第２メダル受皿部５０が有するメダル抜き機構６０の構造を示す説明図であり、図５（ｃ）は、メダル抜き機構６０の開閉底板部材５２を開状態とすることによって第２メダル受皿部５０からメダルＭを抜き取る様子を示す説明図である。
【００４２】
図５（ａ）に示されるように、第２メダル受皿部５０は、メダル送出口４０ａから送出されるメダルＭの貯留状態を外部から視認でき、また、メダルの取り出しが容易となるように上方が大きく開放された皿状の容器である。
【００４３】
そして、本実施形態の第２メダル受皿部５０は、底面５１ａ及び底面５１ａから概略垂設された側壁５１ｂ〜５１ｅを有し、当該底面５１ａ及び側壁５１ｂ〜５１ｅに囲われた領域にメダル送出口４０ａから排出されたメダルＭを貯留する貯留空間Ｓ２が形成されている。貯留空間Ｓ２におけるメダルＭの貯留量は任意とすることができるが、上記第１メダル受皿部２０の貯留空間Ｓ１と同等又はそれ以上のメダルＭを貯留するものとすることが好ましい。
【００４４】
また、本実施形態の第２メダル受皿部５０には、貯留空間Ｓ２に貯留されているメダルＭを当該第２メダル受皿部５０の下方に配置した所定のメダル貯留箱Ｂなどのメダル回収手段に落下させるメダル抜き機構６０が形成されている。
【００４５】
本実施形態のメダル抜き機構６０は、第２メダル受皿部５０に形成された下方開口Ｈ２を開閉するための開閉底板部材５２と、遊技者が操作するスライドレバー部材５３と、それら開閉底板部材５２とスライドレバー部材５３との間に形成された駆動機構５４とを主体に構成される。
【００４６】
開閉底板部材５２は、その上面が第２メダル受皿部５０の底面５１ａとして機能する底板５２ａと、底板５２ａの左右両端にそれぞれ垂設される略扇状の案内側板５２ｂ、５２ｃと、底板５２ａの前端部両側に水平方向に延設される軸５２ｄ、５２ｅとから構成されており、軸５２ｄの先端には、駆動機構５４の傘歯車５４ａが固定されている。
【００４７】
スライドレバー部材５３は、遊技者が指先で摘むための四角体状の摘み部５３ａと、その摘み部５３ａが一側壁に固設されるとともに、反対側壁に複数の歯５４ｂが形成されたラック５３ｂとから構成される。
【００４８】
そして、駆動機構５４は、上記傘歯車５４ａ及びラック５３ｂの歯５４ｂにそれぞれ噛み合う傘歯車５５ａ及びピニオン（平歯車）５５ｂを回転軸５５ｃに固定したギア部材５５を備えている。
【００４９】
なお、開閉底板部材５２の軸５２ｅは、第２メダル受皿部５０の前方側壁５１ｂの所定箇所で軸支され、また、スライドレバー部材５３は、摘み部５３ａが前方側壁５１ｂに形成されたスライド孔Ｈ１に挿通され、ラック５３ｂが前方側壁５１ｂに形成された所定のスライド溝に収容されてスライド自在とされており、更に、ギア部材５５の回転軸５５ｃが前方側壁５１ｂ内の所定箇所で回動自在に軸支されている。
【００５０】
即ち、本実施形態のメダル抜き機構６０では、摘み部５３ａがスライド孔Ｈ１の左端に配置された閉状態においては、下方開口Ｈ２を底面５１ａで塞ぐように開閉底板部材５２が配置される｛図５（ａ）参照｝。これにより、第２メダル受皿部５０では、貯留空間Ｓ２のメダルＭを保持することができる。
【００５１】
一方、上記閉状態において、遊技者が摘み部５３ａをスライド孔Ｈ１の右方に移動させると、ラック５３ｂが右側に移動してその歯５４ｂに歯合するギア部材５５ｂが回転し、その回転が嵩歯車５５ａを介して軸５２ｄに伝達され、開閉底板部材５２が軸５２ｄ、５２ｅを回転軸として下方に向って扉開きする。これにより、下方開口Ｈ２が開放され、図５（ｃ）に示す態様で貯留空間Ｓ２のメダルＭをメダル貯留箱Ｂに移し替えることが可能である。
【００５２】
なお、本実施形態のメダル抜き機構６０では、開閉底板部材５２がその前方端両側の軸５２ｄ、５２ｅの周りに扉開きすることで下方開口Ｈ２を開状態とするよう構成されているために、上記メダルの移し替えの際にメダルＭが回胴式遊技機１の前方に散らばってしまうことを防止することができ、また、開閉底板部材５２の両側部に案内側板５２ｂ、５２ｃが取り付けられているために、上記メダルの移し替えの際にメダルＭが回胴式遊技機１の側方に散らばってしまうことを防止することができる。
【００５３】
上記メダル抜き機構６０では、貯留空間Ｓ２に貯留されるメダルＭの重量によって開閉底板部材５２が下方に勝手に開放されないようにするためのロック機構を追加的に設けることが好ましい。例えば、ロック機構は、スライドレバー部材５３の摘み部５３ａを固定する固定部材により構成することができ、或いは、スライドレバー部材５３をスライド孔Ｈ１の左端に向けて付勢する自己復帰手段により構成することも可能である。
【００５４】
また、上記メダル抜き機構６０では、開閉底板部材５２における貯留空間Ｓ２の底面５１ａを形成する部分を、一枚の板状の部材で構成する場合について説明したが、これ以外にも、当該底面５１ａを、複数枚の板状部材で構成することも可能であり、例えば、前後左右の４箇所に配置された４枚の三角形状の板状部材で底面５１ａを構成し、スライドレバー部材５３の開閉操作に応じて、各板状部材が真ん中から四方に向けて扉開きするように構成することも可能であり、この場合も、扉開きした４枚の板部材でメダルＭの四方への散らかりを防止することが可能である。
【００５５】
図１に戻って、本実施形態の回胴式遊技機１では、上記第２メダル受皿部５０の付近に、各種演出用のＢＧＭや音声などの音響を出力する音響出力装置であるスピーカ１４ａ、１４ｂが設けられている。
【００５６】
上記第２メダル受皿部５０の下方には、第２メダル受皿部５０に貯留されているメダルＭを回収するためのメダル貯留箱Ｂを載置するための載置台１５が設けられている。
【００５７】
図２に戻って、本実施形態においてメダル受付装置を構成するメダルセレクタＭＳは、メダル投入装置３０の間隙３２ｄから送出されたメダルを受け取って当該メダルの適否を判別して振り分けるための選別装置であり、適正なメダルＭを検知する毎に所定のメダル検出信号を主制御基板ＭＢに向けて送信する。
【００５８】
メダルセレクタＭＳには、回収箱Ｒｂに連結されたメダルガイドＭＧと、案内通路４０に連結されたフローシュートＦＳとが取り付けられており、適正なメダルＭはメダルガイドＭＧから回収箱Ｒｂへ、不適正なメダルＭはフローシュートＦＳから案内通路４０を経て第２メダル受皿部５０に送られる。
【００５９】
また、メダルセレクタＭＳは、精算ボタン７が押下された場合には、メダル投入装置３０から送出されるメダルＭをその適否に関わらずフローシュートＦＳから第２メダル受皿部５０するよう構成されている。なお、精算ボタン７が押下された場合には、主制御基板ＭＢの制御のもと、クレジットに対応する枚数のメダルＭがメダル払出装置１１からメダル払出口１１ａに払い出す処理が併せて実行される。
【００６０】
従って、遊技者が遊技を終了したい場合には、精算ボタン７を押下することにより、クレジット分のメダルＭが第１メダル受皿部２０に払い出されるとともに、第１メダル受皿部２０のメダルＭは第２メダル受皿部５０に移送されることになる。そして、第２メダル受皿部５０は、スライドレバー部材５３の操作によってメダル貯留箱Ｂに移し替えることが可能であるため、遊技者はメダルＭに手を触れること無く獲得したメダルＭをメダル貯留箱Ｂに回収することが可能である。
【００６１】
図６は、図２に示す回胴式遊技機１の筐体内部に実装されるハードウェアの構成を示すブロック図であり、特に、制御システムの構成を示している。
【００６２】
図示されるように、回胴式遊技機１は、主制御基板ＭＢと、中央表示基板ＣＢと、サブ制御基板ＳＢと、回胴装置基板ＲＢと、電源装置基板ＰＢを備え、主制御基板ＭＢに他の基板が図示省略の配線ケーブルなどによってそれぞれ電気的に接続されている。
【００６３】
主制御基板ＭＢは、ＣＰＵ、ＲＯＭ、ＲＡＭ、タイマ、クロック信号生成回路、乱数発生器、サンプリング回路等を備えており、ＲＯＭに予め記憶されているシステムプログラムに従ってＣＰＵが演算処理を実行することにより制御システム全体を統括的に制御する。
【００６４】
より具体的には、ＣＰＵは、クロック信号生成回路で生成されるクロック信号によるタイマ割込に同期して、スタートレバー４、ストップボタン５Ｌ、５Ｃ及び５Ｒ、ベットボタン６のスイッチ出力や、メダルセレクタＭＳからのメダル検出信号を中央表示基板ＣＢを介して読み取っている。
【００６５】
また、ＣＰＵは、スタートレバー４への操作のタイミングでサンプリング回路を介して乱数発生器から乱数値を取得し、その乱数値に基づいて入賞役及び演出パターン等のテーブル抽選処理を行っている。
【００６６】
また、ＣＰＵは、各リール装置３Ｌ、３Ｃ及び３Ｒの回転駆動源であるステッピングモータに対し、上述のクロック信号に基づいて生成される４相の駆動パルス信号を回胴装置基板ＲＢにより電流増幅して供給している。そして、ＣＰＵは、各リール装置３Ｌ、３Ｃ及び３Ｒに設けられた基準位置センサーから作動信号を受信する毎にその位置データを校正（リセット）し、これを基準に送出した駆動パルス信号に基づいて、正確に各リールの回転位置制御を行っている。
【００６７】
また、ＣＰＵは、ベットボタン６、回胴装置基板ＲＢ、メダルセレクタＭＳなどからの信号に応答し、ＲＡＭの所定領域において記録されるクレジットの増減管理を実行する。より具体的には、ＣＰＵは、ベットボタン６のスイッチ出力を受ける毎に所定の対価数（例えば３枚）のクレジットを減算し、メダル検出信号や回胴装置基板ＲＢからの出力信号に基づいて生成される払出信号を受信する毎に、所定の最大値（例えば、５０枚）の範囲でそれぞれの信号に応じたクレジットの増分を行うなどの処理を実行する。
【００６８】
主制御基板ＭＢには、電源装置基板ＰＢを経由して、メダル払出装置１１の払出モータ及び払出センサーとが接続されており、ＣＰＵは、入賞、メダルの貸出、クレジットの精算等の際に、払出モータを回転駆動して、所要枚数のメダルＭを第１メダル受皿部２０に連設されたメダル払出口１１ａから筐体外部に払い出す。そして、払出センサーの作動により検知した実際のメダルＭの払出枚数が予定している枚数と一致した場合に、当該払出モータの駆動を停止する制御を行っている。
【００６９】
また、主制御基板ＭＢには、電源装置基板ＰＢを経由して、メダル投入装置３０の回転モータ３３ｂが接続されており、主制御基板ＭＢは、ＲＡＭにおけるクレジットの値や精算ボタン７からのスイッチ出力に応じて、メダル投入制御部ＳＢ４に所定の制御信号を送信する。
【００７０】
本実施形態のサブ制御基板ＳＢは、ＬＥＤ１０ａ、１０ｂを点灯又は点滅制御する照明制御部ＳＢ１と、音源データメモリから音源データを選択し復号化した音信号に基づいてスピーカ１４ａ、１４ｂを鳴動駆動する音響制御部ＳＢ２と、画像データメモリに記憶されている演出用の画像データを適宜選択し再生して画像表示装置９に画像を表示させる表示制御部ＳＢ３と、メダル投入装置３０の駆動を制御するメダル投入制御部ＳＢ４とを備えている。
【００７１】
メダル投入制御部ＳＢ４は、主制御基板ＭＢからの上記制御信号に基づいてメダル投入装置３０の駆動を制御するものである。
【００７２】
図７は、本実施形態におけるメダル投入装置３０の例示的な駆動制御の態様を示すフローチャートである。
【００７３】
図示のように、ステップＳ１１では、ベットボタン６からのスイッチ信号の待受処理が実行され、当該信号が検出された場合には、ステップＳ１２において主制御基板ＭＢのＲＡＭに記録されたクレジットＣＶが遊技処理の対価として規定される所定の対価枚数ＣＰ（例えば３枚）を下回っているか否かの検査が実行される。
【００７４】
そして、クレジットＣＶが対価枚数ＣＰ未満である場合には、ステップＳ１３においてメダル投入装置３０の動作時間Ｔをリセットする処理が実行された後、ステップＳ１４において主制御基板ＭＢからの制御信号がメダル投入装置３０に送信され、これにより、メダル投入装置３０からメダルセレクタＭＳへのメダル投入が開始され、主制御基板ＭＢのＣＰＵは、メダルセレクタＭＳからのメダル検出信号を受信する毎にＲＡＭにおけるクレジットＣＶを増分する処理を実行する。
【００７５】
続くステップＳ１５では、クレジットＣＶが所定の上限値ＣＨ（例えば３０枚）以上であるか否かの検査が実行され、その結果が上限値ＣＨ未満である間は、処理はステップＳ１６に移行し、動作時間Ｔに所定の計時単位ＴＵ（例えば４ミリ秒）を加算する計時処理が実行された後に、ステップＳ１７において動作時間Ｔが所定の上限値ＴＨ（例えば１０秒）に至ったか否かの検査が実行される。
【００７６】
そして、動作時間Ｔが上限値ＴＨに至っていない場合は処理はステップＳ１５に復帰し、上限値ＴＨに達している場合には、処理はステップＳ１８に移行して、主制御基板ＭＢからメダル投入装置３０に停止信号が送信され、これによりメダル投入装置３０からメダルセレクタＭＳへのメダル投入が停止する。
【００７７】
その後、ステップＳ１９において、ＲＡＭにおけるクレジットＣＶが検査され、これが上記対価枚数ＣＰ未満である場合には、処理はステップＳ１１に戻される。
【００７８】
そして、ステップＳ１２又はＳ１９においてクレジットＣＶが上記対価枚数ＣＰ以上であった場合、及び、ステップＳ１５においてクレジットＣＶが上記上限値ＣＨ以上であった場合には、処理はステップＳ２０に移行し、クレジットＣＶから上記対価枚数ＣＰを減算する処理が実行された後に、遊技フラグがＯＮにセットされ（ステップＳ２１）、その後のスタートレバー４からのスイッチ信号を待って所定の遊技処理（ステップＳ２２）が実行される。
【００７９】
遊技処理（ステップＳ２２）では、リール装置３Ｌ、３Ｃ及び３Ｒが回転駆動されるとともに、スタートレバー４からのスイッチ信号受信のタイミングで取得される乱数を用いた入賞役の抽選が実行され、当該抽選の結果及びストップボタン５Ｌ、５Ｃ及び５Ｒからのスイッチ信号の受信タイミングに従ってリール装置３Ｌ、３Ｃ及び３Ｒの停止制御が実行され、透視窓２内においてリール装置３Ｌ、３Ｃ、３Ｒ上の図柄が所定の並びとなったことを条件に、当該図柄の並びに応じて定められた値がクレジットＣＶに加算され、或いは、クレジットＣＶの上限を越える枚数のメダルＭがメダル払出装置１１から第１メダル受皿部２０に払い出される。
【００８０】
即ち、本実施形態の回胴式遊技機１では、クレジットＣＶが対価枚数ＣＰ以上の状態でベットボタン６が操作された場合には、クレジットＣＶから対価枚数ＣＰを減算することを対価として遊技処理が実行され（ステップＳ１２→Ｓ２０）、クレジットＣＶが対価枚数ＣＰ未満の状態でベットボタン６が操作された場合には、メダル投入装置３０が動作してメダル貯留部２２のメダルＭをメダルセレクタＭＳに投入することでクレジットＣＶが加算され、加算されたクレジットＣＶから対価枚数ＣＰを減算することを対価として遊技処理が実行される（ステップＳ１５→Ｓ２０又はステップＳ１９→Ｓ２０)。
【００８１】
このように、本実施形態の回胴式遊技機１では、遊技場から貸し出されたメダルＭを第１メダル受皿部２０に流し込みさえすれば、あとは、ベットボタン６を操作するだけで、メダル投入装置３０からメダルセレクタＭＳにメダルＭが投入されてクレジットＣＶが加算され、以降は加算されたクレジットＣＶで遊技を行うことが可能であるなど、メダルＭに一切或いは殆ど手を使うことなく回胴遊技を楽しむことが可能である。
【００８２】
また、クレジットＣＶの上限を越える払出があった場合には、メダル払出装置１１からのメダルＭは第１メダル受皿部２０に払い出されて貯留され、貯留されたメダルＭは、クレジットＣＶが無くなった状態でベットボタン６を操作したときに、メダル投入装置３０により投入されてクレジットＣＶの加算が行われる。
【００８３】
また、メダル払出装置１１から第１メダル受皿部２０の貯留許容量を越えてメダルＭが払い出された場合には、そのメダルＭは落下口２３から第２メダル受皿部５０に導かれて貯留されるので、遊技者は、必要に応じてスライドレバー部材５３を操作してメダルＭをメダル貯留箱Ｂに移し替え、これを第１メダル受皿部２０から流し込んで遊技を行うことも可能である。
【００８４】
なお、本実施形態の回胴式遊技機１では、メダル払出装置１１のメダルＭが不足した場合には、遊技場に設けられたメダル自動供給システム（不図示）から供給ガイドＳＧを介してメダルＭの供給が行われ、回収箱Ｒｂの許容貯留量を越えるメダルＭは、遊技機１の背面に形成された孔（不図示）を介して自動回収システム（不図示）に回収されるものとすることが可能である。
【００８５】
また、上記実施形態において、第２メダル受皿部５０に貯留されているメダルＭを第１メダル受皿部２０に自動的に移送するメダル移動機構を更に追加的に備えることも可能である。そのようなメダル移動機構は、メダル投入装置３０と同様の機構をもって第２メダル受皿部５０のメダルＭを送出するメダル送出装置と、送出されたメダルＭを第１メダル受皿部２０に案内するガイドレール部材などにより構成することができる。
【００８６】
このメダル移動機構によるメダルＭの移送は、第１メダル受皿部２０にメダルＭの貯留状態を検出するセンサーを設け、第１メダル受皿部２０にメダルＭが無くなったときに自動的に行われるものとしても良く、メダル移送のための操作部材を設け、遊技者によってその操作部材が操作されたときに行われるものとすることも可能である。
【００８７】
また、メダル投入装置３０は、クレジットＣＶが対価枚数ＣＰ未満の状態において、ベットボタン６の操作が行われる毎に対価枚数ＣＰのメダル投入を行い、或いは、１回の遊技処理が完了する毎に自動的に対価枚数ＣＰのメダル投入を行うものとして構成することも可能であるが、上記実施形態のように、クレジットＣＶが対価枚数ＣＰ未満の状態でベットボタン６の操作があったときに、クレジットＣＶが所定の上限値ＣＨとなるまで一度にメダル投入を行うものとすることにより、回転盤３１の小刻みで断続的な駆動を行う必要がなくなるために、メダル投入装置３０の動作安定性を高めることが可能である。
【００８８】
図８（ａ）は、上記した実施形態における第２メダル受皿部５０の変形形態である第２メダル受皿部７０の例示的な構成を示す説明図であり、図８（ｂ）及び（ｃ）は、当該第２メダル受皿部７０が備えるメダル抜き機構８０を平面視で示す説明図である。
【００８９】
図８（ａ）に示されるように、この第２メダル受皿部７０は、上記第２メダル受皿部５０と同様に、第２メダル受皿部７０でのメダルＭの貯留状態を視認することができ、また、メダルＭの取り出し等を容易に行うことができるように上方が大きく開放された皿状の部材である。
【００９０】
そして、この第２メダル受皿部７０は、上記案内通路４０からメダル送出口４０ａを介して排出されるメダルＭを受けて貯留する貯留空間Ｓ３を有している。
【００９１】
具体的には、上記貯留空間Ｓ３は、下方開口Ｈ３が形成された略半球状の底面７１と、後述のスライド底板部材８２で囲まれた領域であり、例えば、上記貯留空間Ｓ２と同様の数量のメダルＭを貯留することが可能な貯留空間とされている。
【００９２】
また、第２メダル受皿部７０には、貯留空間Ｓ３に貯留されているメダルＭを当該第２メダル受皿部７０の下方に配置した所定のメダル貯留箱Ｂに落下させるメダル抜き機構８０が形成されている。
【００９３】
このメダル抜き機構８０は、遊技者が操作するスライドレバー部材８１と、そのスライドレバー部材８１に固定されて下方開口Ｈ３を開閉するスライド底板部材８２と、上記スライドレバー部材８１を保持する保持部材８３と、その保持部材８３に一端が固定され、他端が上記スライドレバー部材８１に固定されるバネなどで構成される付勢部材８４とを主体に構成される。
【００９４】
スライドレバー部材８１は、遊技者が指先で摘むための四角体状の摘み部８１ａと、その摘み部８１ａが一側壁に固定されるスライド壁部材８１ｂとから構成される。
【００９５】
そして、保持部材８３が第２メダル受皿部７０の前側側壁７１ａ内部に固定され、スライドレバー部材８１は、摘み部８１ａが前側側壁７１ａに形成されたスライド孔Ｈ４に挿通され、スライド壁部材８１ｂが前側側壁７１ａに形成された所定のスライド溝に収容されてスライド自在とされている。
【００９６】
即ち、本実施形態のメダル抜き機構８０では、遊技者などにより、スライド底板部材８２を右方にスライドさせるための力が摘み部８１ａに加えられていない場合には、付勢部材８４の復元力によって摘み部８１ａがスライド孔Ｈ４の左端に位置し、スライド底板部材８２が下方開口Ｈ３を塞ぐ閉状態となる｛図８（ｂ）参照｝。
【００９７】
一方、遊技者などにより、付勢部材８４の復元力に抗してスライド底板部材８２を右方にスライドさせるための力が摘み部８１ａに加えられると、スライド壁部材８１ｂがスライド溝内で右方にスライドすることにより、スライド底板部材８２が右方にスライドして下方開口Ｈ３が開状態｛図８（ｃ）参照｝となり、貯留空間Ｓ３で保持されていたメダルＭを下方開口Ｈ３からメダル貯留箱Ｂに回収することができる。
【００９８】
以上、例示的な実施形態に基づいて本発明を説明したが、本発明は上記実施形態により限定されるものではなく、特許請求の範囲の記載内において種々の変更、改変を行うことが可能である。
【００９９】
例えば、上記した実施形態では、第２メダル受皿部５０又は７０に加えて第１メダル受皿部２０を備える場合を例として説明したが、第１メダル受皿部を省略して第２メダル受皿部においてのみメダルの貯留を行うものとすることも可能である。この場合、上記実施形態におけるメダル投入装置３０に代えて、特許文献１に示されるようなスリット状の投入口を用いた投入機構を採用し、遊技者はメダルを１枚ずつ手で摘んでメダル投入を行うよう構成することも可能であり、第２メダル受皿部５０又は７０のメダルを上記実施形態におけるメダル投入装置３０と同様の機構によりメダル受付装置に投入するよう構成することも可能である。
【０１００】
また、上記した実施形態では、メダル貯留箱Ｂを載置するための載置台１５を備える回胴式遊技機１を例として説明したが、必ずしも載置台１５を備えることは必要でなく、例えば、導入される遊技場において、回胴式遊技機１を載置するテーブルなどにメダル貯留箱Ｂを直接載置するようにしても構わない。
【０１０１】
その他、上記した実施形態における装置構成や機能構成、具体的な処理の内容、演出の形態等は単なる例として記載したものであり、本発明はこれらにより限定されない。
【図面の簡単な説明】
【０１０２】
【図１】本発明の一実施形態に係る回胴式遊技機の外観構成を斜視で示す説明図。
【図２】回胴式遊技機の内部構成を示す説明図。
【図３】第１メダル受皿部の例示的な構成を示す説明図。
【図４】メダル投入装置の例示的な構成を示す説明図。
【図５】第２メダル受皿部の例示的な構成を示す説明図。
【図６】筐体内部に実装されるハードウェアの構成を示すブロック図。
【図７】本発明の一実施形態に係る回胴式遊技機におけるメダル投入装置の制御処理の流れを示すフローチャート。
【図８】第２メダル受皿部及びメダル抜き機構の変形形態を示す説明図。
【符号の説明】
【０１０３】
１・・・回胴式遊技機、２・・・透視窓、３Ｌ、３Ｃ、３Ｒ・・・リール装置、４・・・スタートレバー、５Ｌ、５Ｃ、５Ｒ・・・ストップボタン、６・・・ベットボタン、７・・・精算ボタン、８・・・クレジット表示部、９・・・画像表示装置、１１・・・メダル払出装置、１１ａ・・・メダル払出口、１２・・・メダル投入機構、１３・・・溢れ防止機構、１４ａ、１４ｂ・・・スピーカ、１５・・・載置台、２０・・・第１メダル受皿部、２１・・・底面、２２・・・メダル貯留部、２３・・・落下口、２４〜２７・・・側壁、３０・・・メダル投入装置、ＭＳ・・・メダルセレクタ、３１・・・回転盤、３１ａ・・・メダル孔、３１ｂ・・・駆動突起、３１ｃ・・・規制面、３１ｄ・・・駆動面、３１ｅ・・・中央ボス部、３２・・・案内板、３２ａ・・・外周部分、３２ｂ・・・滑動面、３２ｃ・・・案内壁、３２ｄ・・・間隙、３２ｅ・・・メダル送出路、３２ｆ・・・軸孔、３３・・・駆動機構、３３ａ・・・回転軸、３３ｂ・・・回転モータ、４０・・・案内通路、４０ａ・・・メダル送出口、５０・・・第２メダル受皿部、５１ａ・・・底面、５１ｂ〜５１ｅ・・・側壁、５２・・・開閉底板部材、５２ａ・・・底板、５２ｂ、５２ｃ・・・案内側板、５２ｄ、５２ｅ・・・軸、５３・・・スライドレバー部材、５３ａ・・・摘み部、５３ｂ・・・ラック、５４・・・駆動機構、５４ａ・・・傘歯車、５４ｂ・・・歯、５５・・・ギア部材、６０・・・メダル抜き機構、７０・・・メダル受皿部、７１・・・底面、７１ａ・・・前側側壁、８０・・・メダル抜き機構、８１・・・スライドレバー部材、８１ａ・・・摘み部、８１ｂ・・・スライド壁部材、８２・・・スライド底板部材、８３・・・保持部材、８４・・・付勢部材、Ｓ１〜Ｓ３・・・貯留空間、ＦＳ・・・フローシュート、ＭＧ・・・メダルガイド、ＳＧ・・・供給ガイド、Ｒｂ・・・回収箱、ＭＢ・・・主制御基板、ＳＢ・・・サブ制御基板、ＲＢ・・・回胴装置基板、ＰＢ・・・電源装置基板、ＣＢ・・・中央表示基板、ＳＢ１・・・照明制御部、ＳＢ２・・・音響制御部、ＳＢ３・・・表示制御部、ＳＢ４・・・メダル投入制御部
【図１】
2009261653.tif 000003
【図２】
2009261653.tif 000004
【図３】
2009261653.tif 000005
【図４】
2009261653.tif 000006
【図５】
2009261653.tif 000007
【図６】
2009261653.tif 000008
【図７】
2009261653.tif 000009
【図８】
2009261653.tif 000010